(57)【要約】【課題】支柱に取り付けた際、該支柱による支持強度を確保しうる防獣ネットを提供する。【解決手段】獣の侵入を防ぐ防獣ネット１に、本体部２と異なる色または異なる織り方で形成され左右方向に続く目印ライン１１を上下に複数段並行に設け、該目印ライン１１に、上下各段で対応させて支柱２０、２１を通す第１通し穴１５ａと、第２通し穴１５ｂとを左右方向に設けるとともに、第１通し穴１５ａを、第２通し穴１５ｂよりも幅広に形成した【選択図】図１
0003120922.tif 000002
【実用新案登録請求の範囲】
【請求項１】
獣の侵入を防ぐ防獣ネットであって、
ネット本体と異なる色または異なる織り方で形成され左右方向に続く目印ライン部を上下に複数段並行に設け、
該目印ライン部に、上下各段で対応させて支柱を通す第１通し穴と、第２通し穴とを左右方向に設けるとともに、
上記第１通し穴を、上記第２通し穴よりも幅広に形成した
防獣ネット。
【請求項２】
前記第１通し穴の左右方向の幅を、前記第２通し穴の左右方向の幅の略３倍に設定した
請求項１記載の防獣ネット。
【請求項３】
前記第１通し穴を左右方向に複数設けるとともに、
２つの第１通し穴の間に前記第２通し穴を設けた
請求項１または２記載の防獣ネット。
【請求項４】
前記２つの第１通し穴の間に、複数の第２通し穴を設けた
請求項３記載の防獣ネット。
【請求項５】
前記第１通し穴と前記第２通し穴との間、及び前記第２通し穴同士を、所定間隔を隔てて形成した
請求項４記載の防獣ネット。
【請求項６】
前記２つの第１通し穴の間の間隔を、上記所定間隔の略６倍に設定した
請求項５記載の防獣ネット。
【考案の詳細な説明】
【技術分野】
【０００１】
この考案は、例えば農作地や森林などの保護領域を囲繞して獣が侵入することを防止するような防獣ネットに関する。
【背景技術】
【０００２】
従来、農作地や森林などの保護領域に猪や鹿、猿、狸などの獣が侵入することを防止する対策として、保護領域を柵で囲繞する措置がとられている。この柵は、保護領域を囲繞するように複数の支柱を立設し、この支柱にネットを取り付けて構成されている。
【０００３】
このようなネットとして、ネット本体と異なる色または異なる織り方で形成され左右方向に続く目印ライン部を上下に複数段並行に設け、該目印ライン部に、左右方向の所定間隔毎に上下各段で対応させて支柱を通す通し穴を設けた防獣ネットが提案されている（特許文献１参照）。
【０００４】
ところで、一般的に、上述したような防獣ネットを設置するにあたっては、１５〜２０ｍｍの直径を有する支柱が用いられ、該支柱を前記通し穴に通し、地面に打ち込んだ後、防獣ネットを支柱に固定させるものであった。従って、防獣ネットに設けられる通し穴の幅は、上記支柱の直径を通すことができる最低限のものとされていた。
【０００５】
しかし、例えば熊等の、猪や鹿等よりも大型の獣が前記保護領域に侵入しようとして、防獣ネットに突進した時、上述した程度の直径を有する支柱では、防獣ネットを支持するにはその支持強度が不十分であるおそれがあり、防獣ネットとしての役割を発揮できないおそれがあった。
【０００６】
【特許文献１】実用新案登録第３１１６５００号公報
【考案の開示】
【考案が解決しようとする課題】
【０００７】
この考案は、上述の問題に鑑み、支柱に取り付けた際、該支柱による支持強度を確保しうる防獣ネットを提供することを目的とする。
【課題を解決するための手段】
【０００８】
この考案は、獣の侵入を防ぐ防獣ネットであって、ネット本体と異なる色または異なる織り方で形成され左右方向に続く目印ライン部を上下に複数段並行に設け、該目印ライン部に、上下各段で対応させて支柱を通す第１通し穴と、第２通し穴とを左右方向に設けるとともに、上記第１通し穴を、上記第２通し穴よりも幅広に形成したことを特徴とする。
【０００９】
この考案の態様として、前記第１通し穴の左右方向の幅を、前記第２通し穴の左右方向の幅の略３倍に設定することができる。
【００１０】
またこの考案の態様として、前記第１通し穴を左右方向に複数設けるとともに、２つの第１通し穴の間に前記第２通し穴を設けることができる。
【００１１】
またこの考案の態様として、前記２つの第１通し穴の間に、複数の第２通し穴を設けることができる。
【００１２】
またこの考案の態様として、前記第１通し穴と前記第２通し穴との間、及び前記第２通し穴同士を、所定間隔を隔てて形成することができる。
【００１３】
またこの考案の態様として、前記２つの第１通し穴の間の間隔を、上記所定間隔の略６倍に設定することができる。
【考案の効果】
【００１４】
この考案により、支柱に取り付けた際、該支柱による支持強度を確保しうる防獣ネットを提供することができる。
【考案を実施するための最良の形態】
【００１５】
この考案の一実施形態を以下図面と共に説明する。  
図１は、使用状態の防獣ネット１の斜視図を示し、図２、図３は、防獣ネット１の部分拡大図を示す。
【００１６】
この防獣ネット１は、糸条としての合成樹脂製ヤーンによって織成されており、上辺部分と下辺部分には、補強ロープ７が設けられている。そして、ネット状の本体部２に対して、左右方向に長い目印ライン部１０が複数段（一例として上下５段）に等間隔に設けられている。この目印ライン部１０は、幅の異なる第１、第２通し穴１５ａ、１５ｂが複数、左右方向に間隔Ｌを隔てて等間隔で設けられている。上下５段の各目印ライン部１０の第１、第２通し穴１５ａ、１５ｂは、使用時の鉛直方向（防獣ネット１の短手方向）に一直線に並ぶように整列配置されている。
【００１７】
図２、図３に示すように、防獣ネット１の本体は、緑色の合成樹脂製ヤーンがラッセル編みによって鎖状に編み込まれた鎖状ライン３（縦糸）に、２本ないし４本の緑色の合成樹脂製ヤーンをまとめた織込ライン５（横糸）が織り込まれて、略正方形の網目６を複数有する格子状に形成されている。この織込ライン５は、１本の鎖状ライン３に一定回数織り込まれた後、隣接する鎖状ライン３に織り込まれて同一の一定回数織り込まれ、再度元の鎖状ライン３に織り込まれるという構成が繰り返されており、これによって一定の網目サイズを確保している。
【００１８】
前記目印ライン部１０は、３本の黒色の合成樹脂製ヤーンをまとめた目印ライン１１（横糸）が、２本の鎖状ライン３の間で交互に織り込まれて形成されている。これにより、目印ライン１１による網目１２のサイズは、上述した織込ライン５による網目６のサイズより小さく構成されている。
【００１９】
また、目印ライン部１０における第１、第２通し穴１５ａ、１５ｂ部分は、２本の鎖状ライン３に交互に織り込まれていた目印ライン１１が、その部分だけそれぞれ異なる回数分１本の鎖状ライン３に織り込まれており、これによって織込ライン５の網目６のサイズより大きい、２つの異なる幅を有する通し穴が形成されている。
【００２０】
例えば、図２に示す第１通し穴１５ａは、約５０ｍｍの直径を有する太径の木製の杭（以下、木杭と略記する。）から構成される支柱２０（図１参照）を挿通することができる程度の幅を有し、図３に示す第２通し穴１５ｂは、従来の技術で述べたような、１５〜２０ｍｍの直径を有する細径の支柱２１（図１参照）を挿通することができる程度の幅を有していればよく、第１通し穴１５ａの左右方向の幅は、第２通し穴２５ｂの左右方向の幅に対して略３倍程度幅広となるように形成されている。
【００２１】
ところで、防獣ネット１の全体の構成として、上辺と下辺には、織込ライン５による網目が一段形成され、これに隣接して目印ライン１１による目印ライン部１０が形成されている。そして、各目印ライン部１０の上下間には、織込ライン５による網目が１３個並ぶように形成されている。
【００２２】
また、防獣ネット１の上辺と下辺にあたる織込ライン５による網目部分には、図２に示すように、重なっている２つの織込ライン５の間に形成された挿通空間４に補強ロープ７が挿通されている。この補強ロープ７は、複数本の黒色の合成樹脂製ヤーンによってロープ状に形成されている。
【００２３】
次に、上述した防獣ネット１を設置する作業について説明する。  
図４は、防獣ネット１の設置作業の説明図を示し、図５は、設置後の防獣ネット１の側面図を示す。
【００２４】
利用者は、図４（Ａ）の側面図に示すように、まず防獣ネット１の第１、第２通し穴１５ａ、１５ｂ（図２、図３参照）に、上述したような、それぞれ異なる直径を有する支柱２０、２１を挿通する。
【００２５】
このとき、図１に示すように、上下に５段に並んだ５つの第１、第２通し穴１５ａ、１５ｂのうち、上方の４つの第１、第２通し穴１５ａ、１５ｂに対して、波縫いの如く表裏へ交互に、それぞれ支柱２０、２１を通す。従って、最下段にある第１、第２通し穴１５ａ、１５ｂには支柱２０、２１を通さない。
【００２６】
次に、図４（Ｂ）の側面図に示すように、支柱２０、２１を地面３０に打ち込む。このとき、防獣ネット１のうち下から２段目の第１、第２通し穴１５ａ、１５ｂより下方部分である垂れ部１ｂは、保護領域Ｚの外側に位置するようにする。
【００２７】
そして、図５に示すように、上辺の補強ロープ７を支柱２０、２１に巻きつけ、パッカやＵピン等の適宜の留め具で固定する。このとき、防獣ネット１の支柱２０、２１に対する装着高さを、下から２段目の第１、第２通し穴１５ａ、１５ｂが地面３０の高さとほぼ同じ高さに位置するように調節する。
【００２８】
このように第１、第２通し穴１５ａ、１５ｂに対応して、支柱２０、２１を通して該支柱２０、２１を地面３０に打ち込み、防獣ネット１を支柱２０、２１に固定する作業を、図４（Ｃ）の正面図に示すように、１つずつ順番に実行する。このとき、矢印ａに示すように、支柱２０、２１を第１、第２通し穴１５ａ、１５ｂに挿通した状態で、１つ前に地面３０に打ち込み立設した支柱２０、２１から離す方向へ支柱２０、２１を充分に引っ張り、この状態で支柱２０、２１を地面３０に打ち込む。これにより、防獣ネット１が支柱２０と支柱２１との間及び支柱２１間でしっかり張った状態になるように設置している。
【００２９】
以上に説明した防獣ネット１によれば、幅広の第１通し穴１５ａを設けたことにより、防獣ネット１を支柱に取り付ける際、細径の支柱２１のみならず、木杭等の太径の支柱２０を用いることができるため、防獣ネット１の支持強度を十分確保することができる。
【００３０】
また、図４（Ｃ）に示すように、防獣ネット１は、第１通し穴１５ａが、左右方向において複数設けられており、２つの第１通し穴１５ａの間に、左右方向に複数の第２通し穴１５ｂ（本実施の形態では５つ）が設けられている。
【００３１】
これにより、図４（Ｃ）に示すように、全ての第２通し穴１５ｂに支柱２１を挿通し、立設することができる他、図６の正面図に示すように、一部の第２通し穴１５ｂに選択的に支柱２１を挿通し、立設することもできる。従って、防獣ネット１において、支柱２０、２１に要求される支持強度、即ち、保護領域Ｚへの侵入が予想される獣の種類、大きさ等に応じて、支柱２０間に立設する支柱２１の本数を任意に設定することができる。
【００３２】
なお、保護領域Ｚへの侵入が予想される獣の種類、大きさ等にもよるが、図４（Ｃ）に示す防獣ネット１は、例えば、第１通し穴１５ａの間の１区間の寸法が約３００ｃｍ程度とされ、この１区間の間隔が、第１通し穴１５ａと第２通し穴１５ｂとの間隔Ｌ、及び第２通し穴１５ｂ同士の間隔Ｌの略６倍に設定されている。一般には、この第１通し穴１５ａの間の１区間を１単位として、それが左右方向に連続的に配設されることによって長尺の防獣ネット１が構成される。
【００３３】
以上より、利用者は、第１、第２通し穴１５ａ、１５ｂに支柱２０、２１を通して該支柱２０、２１を地面３０に打ち込むという簡単な作業で保護領域Ｚを防獣ネット１で囲む作業を完了できる。
【００３４】
第１、第２通し穴１５ａ、１５ｂに支柱２０、２１が挿通されていることから、防獣ネット１の支柱２０、２１への固定は、上辺近傍を支柱２０、２１に固定するだけでも充分であり、防獣ネット１の支柱２０、２１への取り付け作業を容易かつ短時間で完了することができる。
【００３５】
防獣ネット１の上辺には、補強ロープ７が設けられているため、この補強ロープ７を支柱２０に巻きつけるあるいは固定することで、防獣ネット１の取り付け強度を高めることができる。
【００３６】
防獣ネット１の裾部分は、垂れ部１ｂとして地面に這わすことができるため、保護領域Ｚへの獣の侵入を効果的に防止できる。すなわち、例えば支柱２０の間に鉛直に張り巡らせた壁面部１ａ（図１参照）だけでは、獣が該壁面部１ａに体当たりすることや、直下の地面を掘ることができる。これに対して垂れ部１ｂを設けることで、防獣ネット１の壁面部１ａに近づこうとする獣の足が垂れ部１ｂに絡まり、獣が壁面部１ａに近づくことを防止できる。また、壁面部１ａの下方の地面に通り抜けられる程度の穴を獣が掘ろうとしても、垂れ部１ｂに獣の足が引っかかるため、穴を掘られることを防止できる。
【００３７】
また、このように獣の進入を効果的に防止する垂れ部１ｂは、最下段の第１、第２通し穴１５ａ、１５ｂに支柱２０を通さないだけで形成することができ、しかもこれだけで一定幅を確保できるため、獣の侵入防止に効果的な幅の垂れ部１ｂを有した状態で防獣ネット１を設置することが容易にできる。
【００３８】
また、防獣ネット１は１枚のネットとして織成することができるため、比較的安価に製造することができ、低価格で提供することが可能になる。
【００３９】
また、上下に備えた補強ロープ７と、第１、第２通し穴１５ａ、１５ｂの配置は、上下対象に構成されているため、利用者は上下方向を気にせず設置することができる。従って設置間違いが生じず、やり直しによる作業ロスを排除できる。
【００４０】
ところで、上述した防獣ネット１の設置作業においては、第１、第２通し穴１５ａ、１５ｂに対応して、支柱２０、２１を通す作業、該支柱２０、２１を地面３０に打ち込む作業を、１つずつ順番に実行するとしたが、これに限らず、例えば、第１通し穴１５ａに対応する支柱２０を先に地面３０に打ち込み、後に、支柱２１を地面３０に打ち込むことも可能である。
【００４１】
この場合、図７（Ａ）、（Ｂ）の平面図に示すように、２つの第１通し穴１５ａの間に第２通し穴１５ｂを設けている場合、先ず支柱２０を立設させることにより、該支柱２０の間の防獣ネット１の張力を高く設定し、このように高い張力が付与された状態で、第２通し穴１５ｂに支柱２１を通す作業、及び支柱２１を地面３０に打ち込む作業を実行することができる。これにより、防獣ネット１の設置作業における作業性を向上させることができる。
【００４２】
ただし、第１通し穴１５ａ同士の間隔よりも若干短い間隔を隔てて支柱２０を立設させることにより、支柱２０間の防獣ネット１を弛ませた状態にし、後に支柱２１をジグザグ状に立設して、防獣ネット１の張力を微調整することも可能である。
【００４３】
また、図示のように、第１通し穴１５ａの位置を保護領域Ｚの角部に合わせて支柱２０を立設することにより、防獣ネット１の２辺から付与される引張力に対して角部が高い耐久力を有することになるため、防獣ネット１の支持状態をより安定させることができる。
【００４４】
また、防獣ネット１において、第１通し穴１５ａの数、２つの第１通し穴１５ａの間の第２通し穴１５ｂの数、及び第１、第２通し穴１５ａ、１５ｂの配列は任意に設定することができる。従って、上述したように、第１通し穴１５ａ、支柱２０を保護領域Ｚの角部に立設する場合であっても、図示のように防獣ネット１を様々な形状の保護領域Ｚに対応させることができる。
【００４５】
なお、図８の他の実施形態の斜視図に示すように、補強ロープ７は、各目印ライン部１０の上方あるいは下方に隣接する網目の段の織込ライン５に各１本ずつ備えても良い。この場合は、最下段以外の補強ロープ７を支柱２０、２１に巻きつけあるいは固定して取り付け時の強度をより高めることができる。
【００４６】
また、第１、第２通し穴１５ａ、１５ｂは目印ライン部１０に設けられているため、支柱２０、２１を挿通する際に容易に発見することができる。従って、第１、第２通し穴１５ａ、１５ｂを探すために時間を要することがなく、作業時間を短縮することができる。
【００４７】
この考案の構成と、上述の実施形態との対応において、
この考案のネット本体は、実施形態の本体部２に対応し、
以下同様に、
ネット本体の網目は、網目６に対応し、
異色ライン部の網目は、網目１２に対応し、
第１通し穴は、通し穴１５ａに対応し、
第２通し穴は、通し穴１５ｂに対応し、
支柱は、支柱２０、２１に対応し、
所定間隔は、間隔Ｌに対応するも、
この考案は、上述の実施形態の構成のみに限定されるものではなく、多くの実施の形態を得ることができる。
【図面の簡単な説明】
【００４８】
【図１】使用状態の防獣ネット１の斜視図。
【図２】防獣ネットの部分拡大図。
【図３】防獣ネットの部分拡大図。
【図４】防獣ネットの設置作業の説明図。
【図５】設置後の防獣ネットの側面図。
【図６】防獣ネットの設置作業の説明図。
【図７】保護領域を防獣ネットで囲繞した状態を示す平面図。
【図８】他の実施形態の防獣ネットの斜視図。
【符号の説明】
【００４９】
１…防獣ネット
２…本体部
６…網目
７…補強ロープ
１０…目印ライン部
１２…網目
１５ａ…第１通し穴
１５ｂ…第２通し穴
２０、２１…支柱
Ｌ…間隔
【図１】
0003120922.tif 000003
【図２】
0003120922.tif 000004
【図３】
0003120922.tif 000005
【図４】
0003120922.tif 000006
【図５】
0003120922.tif 000007
【図６】
0003120922.tif 000008
【図７】
0003120922.tif 000009
【図８】
0003120922.tif 000010